(57)【要約】【課題】  複数のＤＮＳサーバ群を用いることにより、ネットワークに接続可能な端末の名前解決と、端末の属性情報の把握を容易に行うことができる情報統合システム、情報統合装置およびプログラムを提供する。【解決手段】  複数のＤＮＳサーバに端末の属性情報をＤＮＳ設定情報として設定し、メモリに記憶し、記憶されたＤＮＳ設定情報をメモリから読み出し、読み出したＤＮＳ設定情報に基づいて、管理端末によってＤＮＳサーバ群にアクセスし、ＤＮＳサーバ群に設定されている端末の属性情報を受信し、メモリに記憶する。【選択図】      図１
2005086503.tif 000002
【特許請求の範囲】
【請求項１】
ネットワークに接続可能な端末と、この端末の属性情報が設定された複数のＤＮＳサーバ群と、前記複数のＤＮＳサーバ群にアクセスし、前記端末の属性情報を取得する管理端末とを前記ネットワークを介して接続した情報統合システムであって、
前記管理端末は、
前記複数のＤＮＳサーバ群に前記端末の属性情報をＤＮＳ設定情報として設定し、メモリに記憶するＤＮＳ設定情報記憶手段と、このＤＮＳ設定情報記憶手段に記憶されたＤＮＳ設定情報を前記メモリから読み出し、読み出したＤＮＳ設定情報に基づいて、前記ＤＮＳサーバ群にアクセスし、当該ＤＮＳサーバ群に設定されている前記端末の属性情報を受信し、前記メモリに記憶する属性情報記憶手段とを具備することを特徴とする情報統合システム。
【請求項２】
請求項１の情報統合システムにおいて、
前記複数のＤＮＳサーバ群が有する複数のＤＮＳサーバは、それぞれが設定される属性情報ごとに分類されていることを特徴とする情報統合システム。
【請求項３】
請求項１の情報統合システムにおいて、
前記端末は、当該端末の属性情報を自ら前記ＤＮＳサーバ群に設定することを特徴とする情報統合システム。
【請求項４】
ネットワークに接続可能な端末と、この端末の属性情報が設定された複数のＤＮＳサーバ群とに前記ネットワークを介して接続可能な情報統合装置であって、
前記複数のＤＮＳサーバ群に前記端末の属性情報をＤＮＳ設定情報として設定し、ＤＮＳ設定情報をメモリに記憶するＤＮＳ設定情報記憶手段と、
前記ＤＮＳ設定情報記憶手段によって記憶されたＤＮＳ設定情報を前記メモリから読み出し、読み出したＤＮＳ設定情報に基づいて、前記複数のＤＮＳサーバ群にアクセスし、前記端末の属性情報を受信する受信手段と、
受信した前記属性情報を前記メモリに記憶する属性情報記憶手段と、
を具備することを特徴とする情報統合装置。
【請求項５】
請求項４の情報統合装置において、
前記複数のＤＮＳサーバ群が有する複数のＤＮＳサーバは、それぞれが設定される属性情報ごとに分類されていることを特徴とする情報統合装置。
【請求項６】
請求項４の情報統合装置において、
前記端末は、当該端末の属性情報を自ら前記ＤＮＳサーバ群に設定することを特徴とする情報統合装置。
【請求項７】
ネットワークに接続可能な端末と、この端末の属性情報が設定された複数のＤＮＳサーバとに前記ネットワークを介して接続可能な情報統合装置で用いられるプログラムあって、
前記複数のＤＮＳサーバ群に前記端末の属性情報をＤＮＳ設定情報として設定し、メモリに記憶するＤＮＳ設定情報記憶手順、
前記ＤＮＳ設定情報記憶手順によって前記メモリに記憶されたＤＮＳ設定情報を前記メモリから読み出し、読み出したＤＮＳ設定情報に基づいて、前記複数のＤＮＳサーバ群にアクセスするアクセス手順、
前記アクセス手順によってアクセスされた前記ＤＮＳサーバ群から当該ＤＮＳサーバ群に設定されている前記端末の属性情報を受信する受信手順、
受信した前記属性情報を前記メモリに記憶する属性情報記憶手順、
をコンピュータに実行させるためのプログラム。
【発明の詳細な説明】
【技術分野】
【０００１】
本発明は、ネットワークに接続可能な端末の属性情報を設定したＤＮＳサーバ群にアクセスすることにより、端末の属性情報を取得する情報統合システム、情報統合装置およびプログラムに関する。
【背景技術】
【０００２】
従来、ネットワークに接続可能な端末の属性情報等を把握する場合には、属性情報を記憶しておく個別のデータベース及びデータベース管理システムが必要であり、このデータベース及びデータベース管理システムにアクセスする必要がある。また、個別のプロトコルを用いて端末と直接通信する必要がある。また、ネットワークに接続された端末のホスト名をＩＰアドレスに変換（名前を解決）するためにＤＮＳが用いられている（特許文献１参照）。
【特許文献１】特開２００２−１９８９９７。
【発明の開示】
【発明が解決しようとする課題】
【０００３】
しかし、このような構成であると、ネットワークに接続された端末の名前の解決にＤＮＳを使用し、端末の属性情報を把握するために、別途、個別の手段を講じなければならない。また、個別の手段は、世界共通の形式でない場合もあり、システムの構築が容易ではない。
【０００４】
本発明の目的は、複数のＤＮＳサーバ群を用いることにより、ネットワークに接続可能な端末の名前解決と、端末の属性情報の把握を容易に行うことができる情報統合システム、情報統合装置およびプログラムを提供する。
【課題を解決するための手段】
【０００５】
本発明はかかる課題を解決するものであり、ネットワークに接続可能な端末と、この端末の属性情報が設定された複数のＤＮＳサーバ群と、前記複数のＤＮＳサーバ群にアクセスし、前記端末の属性情報を取得する管理端末とを前記ネットワークを介して接続した情報統合システムであって、前記管理端末は、前記複数のＤＮＳサーバ群に前記端末の属性情報をＤＮＳ設定情報として設定し、メモリに記憶するＤＮＳ設定情報記憶手段と、このＤＮＳ設定情報記憶手段に記憶されたＤＮＳ設定情報を前記メモリから読み出し、読み出したＤＮＳ設定情報に基づいて、前記ＤＮＳサーバ群にアクセスし、当該ＤＮＳサーバ群に設定されている前記端末の属性情報を受信し、前記メモリに記憶する属性情報記憶手段とを具備することを特徴とする情報統合システムである。
【０００６】
したがって本発明は、複数のＤＮＳサーバに端末の属性情報がＤＮＳ設定情報として設定され、メモリに記憶される。記憶されたＤＮＳ設定情報がメモリから読み出され、読み出されたＤＮＳ設定情報に基づいて、管理端末によってＤＮＳサーバ群にアクセスされ、ＤＮＳサーバ群に設定されている端末の属性情報が受信され、メモリに記憶される。このため、ネットワークに接続可能な端末の名前解決と、端末の属性情報の把握を容易に行うことができる。
【発明の効果】
【０００７】
本発明によれば、複数のＤＮＳサーバ群を用いることにより、ネットワークに接続可能な端末の名前解決と、端末の属性情報の把握を容易に行うことができる情報統合システム、情報統合装置およびプログラムを提供できる。
【発明を実施するための最良の形態】
【０００８】
（第１実施形態）
次に、本願発明の一実施形態について図面を参照して詳細に説明する。
【０００９】
図１は、本発明の一実施形態に係る情報統合装置を適用した情報統合システムを示した模式図ある。この情報統合システムは、例えば、通信回線等のインターネット１０に接続可能な家電製品や電子機器等である端末１２と、インターネット１０に接続されており、複数のＤＮＳサーバを有するＤＮＳサーバ群１４、１６と、端末１２やＤＮＳサーバ群１４、１６にインターネット１０を介してアクセス可能な管理端末２０とから構成されている。なお、本実施形態では、ＤＮＳサーバ群として、２つのＤＮＳサーバ群について説明しているが、３つ以上備える情報統合システムも可能である。また、端末１２および管理端末２０についても、本実施形態では、それぞれ１つずつを備えた情報統合システムの構成を説明するが、端末１２又は／及び管理端末２０を複数個備える情報統合システムも可能である。
【００１０】
ＤＮＳサーバ群１４，１６は、それぞれＤＮＳ応答機能部１４ａ、１６ａと端末情報記憶領域１４ｂ、１６ｂとを備えている。ＤＮＳ応答機能部１４ａ、１６ａは、アクセスされたＤＮＳをアクセス元に返して応答する。端末情報記憶領域１４ｂ、１６ｂは、複数のＤＮＳサーバのそれぞれに登録、設定された端末のユニークな名前（例えば、端末１２、端末Ａ、端末Ｂ等）を記憶する。なお、以上の説明は論理上の説明であり、例えば、現在広く使用されているＤＮＳの実装(製品)をそのまま使用する場合等には、実構成は、後述する図３及び図４の構成となる。
【００１１】
ＤＮＳサーバ群１４，１６は、例えば、それぞれ図３および図４に示すように、上述した複数のＤＮＳサーバとして、ＤＮＳサーバ５０１〜５０Ｎ、ＤＮＳサーバ８０１〜８０Ｎを有する。この場合、ＤＮＳ応答機能部及び端末情報記憶領域はＤＮＳサーバ５０１〜５０Ｎおよび８０１〜８０Ｎが（物理的には）独立に持つことになる。このうち、ＤＮＳサーバ群１４は、例えば、端末１２の所在地情報が割り当てられており、図５に示すように、例えば、ＤＮＳサーバ５０１は東京、ＤＮＳサーバ５０２は千葉というような割り当てになっていおり、論理的な構成を持つ。例えば、図５は、地域の集合を現しており、「地域、org」の下のドメインとして「関東」「東北」などが存在し、「関東」の下のドメインとして「東京」「千葉」などが存在する。ＤＮＳサーバ５０１は「東京.関東.地域org」のドメインを現すＤＮＳである。
【００１２】
また、ＤＮＳサーバ群１６は、例えば、端末１２の機能情報が割り当てられており、図６に示すように、例えば、ＤＮＳサーバ８０１は冷蔵庫、ＤＮＳサーバ８０２はエアコンというような割り当てになっている。
【００１３】
図６は、家電の集合を現しており、「家電org」の下のドメインとして「Ａ社」などが存在し、「Ａ社」の下のドメインとして「冷蔵庫」「エアコン」などが存在する。ＤＮＳサーバ群１６は「冷蔵庫.Ａ社.家電org」のドメインを表している。
【００１４】
また、ＤＮＳサーバ群１４は、例えば、端末１２が設置されている地域毎に登録すべきＤＮＳが決まっており、この場合、ＤＮＳサーバ群１４を「地域」の集合としたが、他の種類の集合でも構わない。同様に、ＤＮＳサーバ群１６を「機能」の集合としたが、他の種類の集合でも構わない。なお、上述した所在地や機能等の割り当ての情報は、ＤＮＳサーバ自身が有している必要はなく、これらの割り当て情報は、後述する端末１２と管理端末２０にそれぞれ備えられており、ＤＮＳサーバは、一般的に使われているＤＮＳサーバを用いることができる。
【００１５】
端末１２は、例えば、図２に示すように、制御部１７と記憶部１８から構成される。制御部１７は、端末１２の所在地や機能等の属性情報をＤＮＳサーバ群１４、１６に登録、設定するためのＤＮＳサーバ群登録部１７ａと、端末１２自身のアドレス（ＤＮＳ）の割り当てを決定するアドレス決定部１７ｂを有する。アドレス決定部１７ｂは、端末１２がインターネット１０に接続されたときに、当該アドレス決定部１７ｂによって端末１２自身のアドレスを与えられる。具体的にアドレスが与えられる手段は、例えばDHCP（Dynamic Host Configuration Protocol）やRA(Router Advertisement)、または手動設定でもよい。記憶部１８は、アドレス決定部１７ｂによって与えられた端末１２のアドレス情報や端末１２自身のユニークな名前（端末１２や端末Ａ等）を記憶するアドレス情報記憶領域１８ａと、端末１２の属性情報がどのＤＮＳサーバ群に割り当てられたのかを示す情報であるＤＮＳ情報等を記憶するＤＮＳ情報記憶領域１８ｂとを有する。ＤＮＳ情報は、例えば、図７、図８に示すように、テーブル情報として記憶する。
【００１６】
なお、ＤＮＳサーバ群登録部１７ａは、ＤＮＳサーバ群の数によって、ＤＮＳサーバ群登録部１７ａの内部にそれぞれ専用の登録機能を備えており、例えば、ＤＮＳサーバ群１４、１６の２つのＤＮＳサーバ群に登録する場合は、それぞれのＤＮＳサーバ群１４、１６に対して専用の登録機能を有している。また、ＤＮＳサーバ群の数が３つ以上になった場合も同様であり、ＤＮＳサーバ群の数だけ専用の登録機能を有する。
【００１７】
管理端末２０は、図９に示すように、属性決定部２２ａを備えた制御部２２と、ＤＮＳ情報記憶領域２４ａを備えた記憶部２４とを有する。属性決定部２２ａは、例えば、ＤＮＳサーバ群１４、１６を用いて端末１２の名前を解決することが出来る。また、どのＤＮＳサーバ（５０１〜５０Ｎ、８０１〜８０Ｎ）で名前を解決できたかにより、例えば、端末１２が設置されている所在地や機能を把握することができる。ＤＮＳ情報記憶領域２４ａは、上述した図７、図８に示したテーブル情報を記憶し、属性決定部２２ａがテーブル情報をＤＮＳ情報記憶領域２４ａから読み出してＤＮＳサーバ群１４、１６のアクセス先を決定する際に利用する。
【００１８】
次に、本発明の一実施形態に係る端末１２の属性情報の登録処理について図１０を用いて説明する。端末１２の制御部１７が備えるアドレス決定部１７ｂは、ステップＳ１にて、インターネット１０等のネットワークに接続されているか否かを判別する。ステップＳ１にて、アドレス決定部１７ｂがネットワークに接続されていると判別した場合は、ＤＮＳサーバ群登録部１７は、ステップＳ２にて、記憶部１８のＤＮＳ情報記憶領域１８ｂからＤＮＳ情報（テーブル情報：図７、図８）を読み出し、このＤＮＳ情報を参照して、所定のＤＮＳサーバ群にアクセスする。例えば、端末１２が、東京に位置する場合には、所在地情報を登録するＤＮＳサーバ群は、ＤＮＳサーバ群１４であるので、ＤＮＳサーバ群１４にアクセスする。ＤＮＳサーバ群１４にアクセスしたＤＮＳサーバ群登録部１７は、ステップＳ３にて、ＤＮＳサーバ群１４の中で、東京に割り当てられているＤＮＳサーバは、ＤＮＳサーバ５０１であるので、ＤＮＳサーバ５０１に端末１２の属性情報である「東京」という情報を登録する。ここで、端末１２の所在を知る方法は無線による位置抽出システムのようなものを使っても良いし、手動で設定してもよい。
【００１９】
一方、ＤＮＳサーバ群登録部１７は、ＤＮＳ情報記憶領域１８ｂから読み出したＤＮＳ情報を参照して、所定のＤＮＳサーバ群にアクセスする。例えば、端末１２が、冷蔵庫である場合には、機能情報を登録するＤＮＳサーバ群は、ＤＮＳサーバ群１６であるので、ＤＮＳサーバ群１６にアクセスする。ＤＮＳサーバ群１６にアクセスしたＤＮＳサーバ群登録部１７は、ステップＳ３にて、ＤＮＳサーバ群１６の中で、冷蔵庫に割り当てられているＤＮＳサーバは、ＤＮＳサーバ８０１であるので、ＤＮＳサーバ８０１に端末１２の属性情報である「冷蔵庫」という情報を登録する。このように、端末１２の属性情報を登録する。この登録は、端末１２が自ら行っても良いし、手動で予め登録しておいてもよい。ここで、端末１２の機能を知る方法は、端末１２が製造されたときに設定してもよいし、設置時に手動で設定してもよい。
【００２０】
また、例えば、端末Ｂが、千葉に位置する場合には、所在地情報を登録するＤＮＳサーバ群は、ＤＮＳサーバ群１４であるので、ＤＮＳサーバ群１４にアクセスする。ＤＮＳサーバ群１４にアクセスしたＤＮＳサーバ群登録部１７は、ステップＳ３にて、ＤＮＳサーバ群１４の中で、千葉に割り当てられているＤＮＳサーバは、ＤＮＳサーバ５０２であるので、ＤＮＳサーバ５０２に端末１２の属性情報である「千葉」という情報を登録する。例えば、端末１２が、エアコンである場合には、機能情報を登録するＤＮＳサーバ群は、ＤＮＳサーバ群１６であるので、ＤＮＳサーバ群１６にアクセスする。ＤＮＳサーバ群１６にアクセスしたＤＮＳサーバ群登録部１７は、ステップＳ３にて、ＤＮＳサーバ群１６の中で、エアコンに割り当てられているＤＮＳサーバは、ＤＮＳサーバ８０２であるので、ＤＮＳサーバ８０２に端末１２の属性情報である「エアコン」という情報を登録する。
【００２１】
次に、本発明の一実施形態に係る情報統合プログラムを適用した情報統合装置の動作を図１１を参照して説明する。
【００２２】
管理端末２０の制御部２２が備える属性決定部２２ａは、ステップＳ１０にて、記憶部２４のＤＮＳ情報記憶領域２４ａからＤＮＳ情報を読み出し、このＤＮＳ情報（テーブル情報：図７，図８）に基づいて、の属性情報が登録されているＤＮＳサーバ群１４、１６を特定し、特定したＤＮＳサーバ群１４、１６にアクセスする。属性決定部２２ａは、ステップＳ１１にて、アクセスしたＤＮＳサーバ群１４、１６のそれぞれが有するＤＮＳサーバ（５０１〜５０Ｎ、８０１〜８０Ｎ）に、例えば、同時にアクセスし、アクセスしたＤＮＳサーバ（５０１〜５０Ｎ、８０１〜８０Ｎ）の中で、端末１２に該当する属性情報を取得する。例えば、ＤＮＳサーバ群１４のＤＮＳサーバ５０１からは、「東京」という属性情報を、ＤＮＳサーバ群１６のＤＮＳサーバ８０１からは、「冷蔵庫」という属性情報を取得する。属性決定部２２ａは、ステップＳ１３にて、取得した端末１２の属性情報を記憶部２４の図示しない記憶領域に記憶する。
【００２３】
また、必要に応じて、取得した端末１２の属性情報を一覧表にすることもできる。例えば、図１２に示すように、端末の地域と機能の一覧表を作成する。この一覧表では、端末１２や端末Ａといったユニークな機器の名前（ドメイン名）と、このドメイン名に対応したクラス、タイプ、アドレス（ＤＮＳ）の各情報を一覧表示している。
【００２４】
以上の構成により、ＤＮＳサーバを端末（機器）の名前を解決する機能以外にも端末の属性情報を複数のＤＮＳサーバに割り当てて登録、設定して、名前が解決できたＤＮＳサーバに割り当てられている情報を判別することにより、端末が持つ機能や所在地等の属性情報を把握することが出来る。また、端末の属性情報を得るためにインターネット標準の技術であるＤＮＳを用いることにより、特別なプロトコルを使用することなく端末を容易に管理することができ、互換性が高く不具合が起こりにくいシステムを構築できる。
【００２５】
また、本実施形態の変形例として、ＤＮＳが持っている逆引き機能を利用した形態とすることもできる。端末１２は、自身の属性情報の登録時に、逆引き機能を利用できるような形態で属性情報を登録する。例えば、図１３、図１４に示すように、端末１２および端末Ａのゾーン名、名前、種類、データ（ＤＮＳ）を登録する。ここでは、把握しやすい様に一覧表示で示す。
【００２６】
以上のように、端末１２（または端末Ａ）が、自身の属性情報をＤＮＳサーバ群１４、１６にお登録する。そして、管理端末２０は、ＤＮＳではなく、例えば、端末１２の名前を参照する。端末１２の名前は、「端末１２.東京.関東.地域org」であることから、端末１２の所在は東京であることが分かる。また、図１４に示す端末１２の名前を参照することにより、「端末１２.冷蔵庫.Ａ社.家電org」であることから、端末１２の機能は冷蔵庫であることが分かる。なお、逆引きに用いるＩＰアドレスは最初から固定で端末１２に与えられてもよいし、手動登録など何らかの方法で登録されていてもよい。
【００２７】
このように、ＤＮＳの逆引き機能を用い、その名前を判別することによって、例えば端末１２が持つ所在地等の情報を把握することが出来る。また、端末１２の名前は「端末１２.冷蔵庫.東芝.家電org」であることから、端末１２の機能は冷蔵庫であることが分かる。なお、変形例では、ＤＮＳサーバ群１４、１６の両方とも逆引きを用いたが、一方は正引き（最初の実施形態）を用いてもよい。また、
また、上述した実施形態では、ＤＮＳサーバ群１４，１６のそれぞれが有する複数のＤＮＳサーバ（５０１〜５０Ｎ、８０１〜８０Ｎ）に同時にアクセスするようにしているが、それぞれにタイムラグがある場合等、アクセス方法は限定されるものではない。
【００２８】
なお、上述した実施形態に説明した装置は、記憶媒体に格納したプログラムをコンピュータに読み込ませることで実現させることができる。
【００２９】
ここで本発明における記憶媒体としては、磁気ディスク、フロッピーディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００３０】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【００３１】
さらに、本発明における記憶媒体は、コンピュータと独立した媒体に限らず、ＬＡＮやインターネット等により伝送されたプログラムをダウンロードして記憶又は一時記憶した記憶媒体も含まれる。
【００３２】
また、記憶媒体は1つに限らず、複数の媒体から本実施形態における処理が実行される場合も本発明における記憶媒体に含まれ、媒体構成は何らの構成であってもよい。
【００３３】
なお、本発明におけるコンピュータは、記憶媒体に記憶されたプログラムに基づき、本実施形態における各処理を実行するものであって、パソコン等の1つからなる装置、複数の装置がネットワーク接続されたシステム等の何れの構成であってもよい。
【００３４】
また、本発明におけるコンピュータとは、パソコンに限らず、情報処理機器に含まれる演算処理装置、マイコン等も含み、プログラムによって本発明の機能を実現することが可能な機器、装置を総称している。
【図面の簡単な説明】
【００３５】
【図１】本発明の本発明の一実施形態に係る情報統合装置を適用した情報統合システムを示したブロック図。
【図２】本発明の本発明の一実施形態に係る一端末を示したブロック図。
【図３】本発明の第一実施形態に係るＤＮＳサーバ群の構成を示した模式図。
【図４】本発明の第一実施形態に係るＤＮＳサーバ群の構成を示した模式図。
【図５】本発明の第一実施形態に係るＤＮＳサーバ群の階層構造を示した模式図。
【図６】本発明の第一実施形態に係るＤＮＳサーバ群の階層構造を示した模式図。
【図７】本発明の第一実施形態に係るＤＮＳ情報のテーブル情報を示した模式図。
【図８】本発明の第一実施形態に係るＤＮＳ情報のテーブル情報を示した模式図。
【図９】本発明の本発明の一実施形態に係る一管理端末を示したブロック図。
【図１０】本発明の第一実施形態に係る端末の属性情報の登録処理を示したフローチャート。
【図１１】本発明の第一実施形態に係る端末の属性情報の取得処理を示したフローチャート。
【図１２】本発明の第一実施形態に係る取得した属性情報の一覧表示の一形態を示した模式図。
【図１３】本発明の第一実施形態の変形例に係る取得した属性情報の一覧表示の一形態を示した模式図。
【図１４】本発明の第一実施形態の変形例に係る取得した属性情報の一覧表示の一形態を示した模式図。
【符号の説明】
【００３６】
１０…インターネット、１２…端末、１４…ＤＮＳサーバ群、１４ａ…ＤＮＳ応答機能部、１４ｂ…端末情報記憶領域、１６…ＤＮＳサーバ群、２０…管理端末
【図１】
2005086503.tif 000003
【図２】
2005086503.tif 000004
【図３】
2005086503.tif 000005
【図４】
2005086503.tif 000006
【図５】
2005086503.tif 000007
【図６】
2005086503.tif 000008
【図７】
2005086503.tif 000009
【図８】
2005086503.tif 000010
【図９】
2005086503.tif 000011
【図１０】
2005086503.tif 000012
【図１１】
2005086503.tif 000013
【図１２】
2005086503.tif 000014
【図１３】
2005086503.tif 000015
【図１４】
2005086503.tif 000016